(57)【要約】【課題】測定レンズ系の光軸部を通して雑誌などを見ることのできる自覚式検眼器を提供する。【解決手段】被検眼の屈折力を検査する検眼器本体１０を備え、この検眼器本体を吊るすとともに被検者に装着して被検眼の検査を行う自覚式検眼器であって、検眼器本体１０を水平方向に対して傾動可能にし、検眼器本体１０内に測定光学系を設けた光学系ユニットを上下動可能に配置し、検眼器本体１０が水平方向に対して所定角度傾動した際、前記光学系ユニットを所定距離だけ下方へ移動させる。【選択図】　　　図１
2004073626.tif 000002
【特許請求の範囲】
【請求項１】
被検眼の屈折力を検査する検眼器本体を備え、この検眼器本体を吊るすとともに被検者に装着して被検眼の検査を行う自覚式検眼器であって、
前記検眼器本体を水平方向に対して傾動可能にし、
前記検眼器本体内に測定光学系を設けた光学系ユニットを上下動可能に配置し、
前記検眼器本体が水平方向に対して傾動した際、前記光学系ユニットをその傾動角に応じて下方へ移動させることを特徴とする自覚式検眼器。
【請求項２】
前記検眼器本体が水平方向に対して傾動しないようにロックするロック機構を設け、遠用測定の際に前記ロック機構を作動させることを特徴とする請求項１に記載の自覚式検眼器。
【請求項３】
前記検眼器本体が水平方向に対して傾動する傾動角度を検出する傾動角検出手段と、
この傾動角検出手段が検出した傾動角度が第１閾値以上であって且つ第１閾値より大きい第２閾値以下のとき前記光学系ユニットをその傾動角に応じて下方へ移動させ、その検出した傾動角度が第２閾値より大きいとき光学系ユニットを下方へ移動させないことを特徴とする請求項１に記載の自覚式検眼器。
【発明の詳細な説明】
【０００１】
【産業上の利用分野】
この発明は、被検眼の光学特性を被検者の応答に基づいて検査する自覚式検眼器に関する。
【０００２】
【従来技術】
従来から、トライアルフレームを使用して被検眼の屈折力を測定する測定方法が知られている。
【０００３】
かかる測定方法は、先ず自覚式検眼器によって被検眼の屈折力を測定する。次に、この測定に基づいたトライアルレンズをトライアルフレームに装着し、さらに、視標を提示して視標の見え方を被検者に応答させることにより、被検者に合ったトライアルレンズを決めていくものである。そして、このトライアルレンズを装着したトライアルフレームを被検者に一定時間装用させるとともに雑誌などを読ませて、被検者の使用具合から被検者に合った最適なトライアルレンズを決定していく。
【０００４】
しかし、トライアルフレームには球面度数用や円柱度数用等の複数のトライアルレンズが装着されるため、そのトライアルフレームが重くなってしまう問題があった。そこで、検眼器本体を吊るす自覚式検眼器が考えられている。
【０００５】
【発明が解決しようとする課題】
ところで、このような自覚式検眼器を使用して雑誌などを読ませた場合、被検者は顔を少し下に傾けるとともに眼球を下に向けるため、視線はレンズの光軸より下に位置することになる。これは、トライアルフレームを使用した場合も同様であるが、累進レンズを装用したことのある被検者の場合、この傾向は特に強いものとなる。
【０００６】
このため、単レンズを使用するとともに雑誌などを読ませて累進レンズの近用部の度数を決める場合、その単レンズの光軸から離れた部分を通して雑誌などを見ることになり、正確な測定が行えないという問題があった。
【０００７】
この発明の目的は、測定レンズ系の光軸部を通して雑誌などを見ることのできる自覚式検眼器を提供することにある。
【０００８】
【課題を解決するための手段】
上記目的を達成するため、請求項１の発明は、被検眼の屈折力を検査する検眼器本体を備え、この検眼器本体を吊るすとともに被検者に装着して被検眼の検査を行う自覚式検眼器であって、
前記検眼器本体を水平方向に対して傾動可能にし、
前記検眼器本体内に測定光学系を設けた光学系ユニットを上下動可能に配置し、
前記検眼器本体が水平方向に対して傾動した際、前記光学系ユニットをその傾動角に応じて下方へ移動させることを特徴とする。
【０００９】
請求項２の発明は、前記検眼器本体が水平方向に対して傾動しないようにロックするロック機構を設け、遠用測定の際に前記ロック機構を作動させることを特徴とする。
【００１０】
請求項３の発明は、前記検眼器本体が水平方向に対して傾動する傾動角度を検出する傾動角検出手段と、
この傾動角検出手段が検出した傾動角度が第１閾値以上であって且つ第１閾値より大きい第２閾値以下のとき前記光学系ユニットをその傾動角に応じて下方へ移動させ、その検出した傾動角度が第２閾値より大きいとき光学系ユニットを下方へ移動させないことを特徴とする。
【００１１】
【実施形態】
以下、この発明に係る自覚式検眼器の実施形態を図面に基づいて説明する。
【００１２】
図１に示す自覚式検眼器は検眼器本体１０を備えている。この検眼器本体１０は図示しない伸縮可能な支柱に取り付けられたパイプ状のアーム１１に吊るされている。アーム１１は水平方向に回動自在に支柱に取り付けられている。また、アーム１１の先端部には垂下された接続管１２が取り付けられている。この接続管１２内には連結軸１３の上部１３Ａが上下動可能に且つ回動可能に挿入されている。また、この上部１３Ａが接続管１２内に配置されたスプリング１４の一端に取り付けられており、スプリング１４の他端はワイヤ１５に接続されている。このワイヤ１５はアーム１１内に設けた滑車１６に掛けられてアーム１１内を通され、さらに支柱内に設けた滑車１７に掛けられてそのワイヤ１５の一端に錘１８が吊るされている。
【００１３】
他方、連結軸１３の下部には逆Ｕ字形の保持部材１９が固定され、この保持部材１９の両下端部が検眼器本体１０のケース２０の両側壁部２１Ａ，２１Ｂに軸支され、検眼器本体１０は保持部材１９に対して軸Ｊ回りに回動自在となっている。保持部材１９は接続管１２により垂直状態に保持されている。そして、検眼器本体１０は保持部材１９，連結軸１３およびスプリング１４を介してワイヤ１５に吊るされており、検眼器本体１０と保持部材１９と連結軸１３とスプリング１４の総重量が錘１８の重量と同一に設定され、検眼器本体１０を装用した被検者にその検眼器本体１０等の重さが加わらないようになっている。
【００１４】
［検眼器本体］
検眼器本体１０は、図２および図３に示すように、ケース２０と、このケース２０内に設けた左右方向に移動可能な一対の保持ケース３０，４０と、保持ケース３０，４０内に上下動可能に設けた光学系ユニット５０と、この光学系ユニット５０を上下動させる上下動機構６０と（図４参照）、検眼器本体１０をロックさせるロック機構７０と、検眼器本体１０の傾動を検出する傾動検出手段８０等とを備えている。
【００１５】
［ケース］
ケース２０は、ヘッドバンド２９が取り付けられており、検眼器本体１０を図１に示すように被検者に装着できるようになっている。また、ケース２０には図示しない鼻当てや額当てが設けられている。さらに、ケース２０の前面２０Ａには一対の開口２０ａとこの開口２０ａに対向して後面２０Ｂに一対の開口２０ｂがそれぞれ形成されている。
【００１６】
また、ケース２０内の上部には左右方向に延びた軸２２が配置され、軸２２の両端部はケース２０の側壁２１Ａ，２１Ｂに設けた軸受部２３，２３に回転自在に保持されている。この軸２２の両側には雄ネジ部２２Ａ，２２Ｂが形成され、この雄ネジ部２２Ａ，２２Ｂの向きは互いに逆方向となっている。また、軸２２の中央部には図５に示すようにギア２４が装着されている。このギア２４にはウオーム２５が噛合されており、このウオーム２５はケース２０の上壁部２６に設けたツマミ２７の回転操作により回転するようになっている。
【００１７】
［傾動検出手段］
傾動検出手段８０は、図６および図７に示すように、ケース２０の側壁部２１Ａに設けた摺動抵抗８１と、この摺動抵抗８１に沿って摺動移動する接点８２とを有し、この接点８２は保持部材１９の内側に設けられている。摺動抵抗８１の一端は電圧Ｖｃが印加され、摺動抵抗８１の他端は接地されている。接点８２は制御回路４５０の入力ポートＰに接続されている。
【００１８】
そして、接点８２は保持部材１９に対する検眼器本体１０の傾動量に応じて摺動抵抗８１上を摺動移動し、この接点８２の移動位置に対応した電圧が制御回路４５０の入力ポートＰに入力する。制御回路４５０は、入力ポートＰの電圧を読み取って保持部材１９に対する検眼器本体１０の傾動量、すなわち水平方向に対しての傾動量を演算して求める。
【００１９】
［ロック機構］
ロック機構７０は、図６に示すように、ケース２０に設けたソレノイド７１を有し、このソレノイド７１が作動されると図８に示すようにロッド７２がケース２０の孔７３から突出して保持部材１９の内側に設けた凹部７４に係合するようになっている。このロッド７２の凹部７４への係合により、検眼器本体１０は保持部材１９に対して傾動しないように、すなわち傾きがゼロの位置でロックされるようになっている。
【００２０】
［保持ケース］
保持ケース３０は、図２ないし図４に示すように、前面と後面に開口３１，３２を有する筺体状に形成されている。この開口３１，３２はケース２０の開口２０ａ，２０ｂに対向している。
【００２１】
保持ケース３０の上壁部３３には直方体状の突出部３４が形成され、この突出部３４には左右方向（図２において）に貫通した孔３５が形成されており、この孔３５に雌ねじが形成されている。この孔３５にはケース２０に設けた軸２２が貫装され、この軸２２の雄ネジ２２Ａがその孔３５の雌ねじに螺合している。そして、軸２２の回転により保持ケース３０は左右に移動するようになっている。
【００２２】
例えば、軸２２が図５において時計回りに回転すると保持ケース３０は図２において右方向へ移動し、軸２２が反時計回りに回転すると保持ケース３０は左方向へ移動するようになっている。
【００２３】
保持ケース４０は保持ケース３０と同様な構成となっており、軸２２が図５において時計回りに回転すると保持ケース４０は図２において左方向へ移動し、軸２２が反時計回りに回転すると保持ケース４０は右方向へ移動するようになっており、ツマミ２７の回転操作に対する保持ケース３０，４０の移動距離は互いに同一に設定されている。
［光学系ユニット］
光学系ユニット５０は、図４に示すように前面および後面に開口５１Ａ，５１Ｂを有するユニットケース５１と、このユニットケース５１内に設けられたレンズ取付枠４０２と（図９参照）、このレンズ取付枠４０２に取り付けられた可変焦点レンズ４１０およびＶｃｃレンズ４２３等とを有している。そして、可変焦点レンズ４１０とＶｃｃレンズ４２３とで測定光学系が構成される。ユニットケース５１の開口５１Ａは保持ケース３０の開口３１に対向し、ユニットケース５１の開口５１Ｂはケース２０の開口２０ｂに対向している。保持ケース４０に設けたユニットケース５１も同様であるのでその説明は省略する。
【００２４】
レンズ取付枠４０２は、図９に示すように、第１のレンズ取付部４０２ａと筒状の第２のレンズ取付部４０２ｂとを有している。
＜第１のレンズ取付部４０２ａ＞
この第１のレンズ取付部４０２ａは左右に側壁部４０７ａ，４０７ｂを有し、この側壁部４０７ａには図１０および図１１に示したように上下に延びるガイド溝４０８ａ，４０９ａが形成され、側壁部４０７ｂにはガイド溝４０８ａ，４０９ａに対応して上下に延びるガイド溝４０８ｂ，４０９ｂが形成されている。
【００２５】
この側壁部４０７ａ，４０７ｂ間には、アルバレッツレンズと呼ばれる可変焦点レンズ４１０が配設されている。この可変焦点レンズ４１０は、一対の非球面レンズ４１１，４１２を有し、非球面レンズ４１１，４１２を相対的に上下動させることにより焦点を変えることが出来るようになっている。
【００２６】
また、ガイド溝４０８ａ，４０８ｂには、超音波リニアモータ（超音波モータ）４１３，４１４がそれぞれ配設されている。
【００２７】
超音波リニアモータ４１３は、多数の電極（図示せず）と圧電素子を交互に接続して直線状に形成した圧電素子アレイ（振動発生部材）４１５と、この圧電素子アレイ４１５とは反対側に多数の歯（図示せず）が長手方向に配列され且つ圧電素子アレイ４１５により振動駆動される直線上の振動体（固定子）４１６と、振動体４１６の多数の歯に摩擦係合する可動子４１７を有する。そして、圧電素子アレイ４１５は振動体４１６に貼り付けられ、ガイド溝４０８ａ，４０８ｂの可動子４１７，４１７は非球面レンズ４１１の両側部に固定されている。
【００２８】
この構成においては、圧電素子アレイ４１５の各電極に印加する電圧を制御することにより、固定子４１６の歯（図示せず）側に発生させる屈曲定在波振動（進行波）の位相を変えることができる。この位相を変えることで、固定子４１６の歯（図示せず）が可動子４１７を上方又は下方に駆動する。この様な超音波リニアモータ４１３の構造には周知の超音波モータの構造を採用できる。
【００２９】
同様に超音波リニアモータ４１４は、多数の電極（図示せず）と圧電素子を交互に接続して直線状に形成した圧電素子アレイ（振動発生部材）４１８と、この圧電素子アレイ４１８とは反対側に多数の歯（図示せず）が長手方向に配列され且つ圧電素子アレイ４１８により振動駆動される直線上の振動体（固定子）４１９と、振動体４１９の多数の歯に摩擦係合する可動子４２０を有する。そして、圧電素子アレイ４１８は振動体４１９に貼り付けられ、ガイド溝４０９ａ，４０９ｂの可動子４２０，４２０は非球面レンズ４１２の両側部に固定されている。
【００３０】
この構成においては、圧電素子アレイ４１８の各電極に印加する電圧を制御することにより、固定子４１９の歯（図示せず）側に発生させる屈曲定在波振動（進行波）の位相を変えることができる。この位相を変えることで、固定子４１９の歯（図示せず）が可動子４２０を上方又は下方に駆動する。この様な超音波リニアモータ４１４の構造にも周知の超音波モータの構造を採用できる。
＜第２のレンズ取付部４０２ｂ＞
この第２のレンズ取付部４０２ｂは図１２に示すように円筒状に形成されていて、第２のレンズ取付部４０２ｂの内周面には一対の環状溝４２１，４２２が軸線方向に間隔をおいて形成されている。また、第２のレンズ取付部４０２ｂ内には、図１３に示すようにＶｃｃレンズ（バリアブルクロスシリンダレンズ）４２３が配設されている。
【００３１】
このＶｃｃレンズ４２３は一対のシリンダレンズ４２４，４２５を有し、このシリンダレンズ４２４，４２５は環状溝４２１，４２２内に配設した超音波モータ４２６，４２７により回転駆動されるようになっている。
【００３２】
超音波モータ４２６は、多数の電極（図示せず）と圧電素子を交互に接続して環状に形成した圧電素子アレイ（振動発生部材）４２８と、この圧電素子アレイ４２８とは反対側に多数の歯（図示せず）が周方向に配列され且つ圧電素子アレイ４２８により振動駆動される環状の振動体（固定子）４２９と、振動体４２９の多数の歯に摩擦係合する環状の可動子４３０を有する。そして、圧電素子アレイ４２８は振動体４２９の外周面に貼り付けられ、環状溝４２１の可動子４３０内にはシリンダレンズ４２４が固定されている。
【００３３】
この構成においては、圧電素子アレイ４２８の各電極に印加する電圧を制御することにより、振動体４２９の歯（図示せず）側に発生させる進行波の位相を変えることができる。この位相を変えることで、振動体４２９の歯（図示せず）が可動子４３０を正回転又は逆回転駆動する。この様な超音波モータ４２６の構造には周知の超音波モータの構造を採用できる。
【００３４】
同様に超音波モータ４２７は、多数の電極（図示せず）と圧電素子を交互に接続して環状に形成した圧電素子アレイ（振動発生部材）４３１と、この圧電素子アレイ４３１とは反対側に多数の歯（図示せず）が周方向に配列され且つ圧電素子アレイ４３１により振動駆動される環状の振動体（固定子）４３２と、振動体４３２の多数の歯に摩擦係合する環状の可動子４３３を有する。そして、圧電素子アレイ４３１は振動体４３２の外周面に貼り付けられ、環状溝４２２の可動子４３３内にはシリンダレンズ４２５が固定されている。
【００３５】
この構成においては、圧電素子アレイ４３１の各電極に印加する電圧を制御することにより、振動体４３２の歯（図示せず）側に発生させる進行波の位相を変えることができる。この位相を変えることで、振動体４３２の歯（図示せず）が可動子４３３を正回転又は逆回転駆動する。この様な超音波モータ４２７の構造には周知の超音波モータの構造を採用できる。
【００３６】
［上下動機構］
上下動機構６０は、図２ないし図４に示すように、光学系ユニット５０のユニットケース５１の後面の左右にそれぞれ設けた上下方向に延びるラック６１と、ケース２０内に左右方向（図２参照）に延びたスプライン軸６２と、ウオーム６３と、このウオーム６３を回転させるパルスモータ６４等から構成されている。
【００３７】
スプライン軸６２の両端はケース２０の側壁２１Ａ，２１Ｂに設けた軸受部６５，６５に回転自在に保持されており、スプライン軸６２の軸方向に沿って設けられた図示しない溝にラック６１が噛合しており、スプライン軸６２の回転によりユニットケース５１が保持ケース３０，４０に対して上下動するようになっている。また、ラック６１はスプライン軸６２の溝に沿って軸方向に相対移動可能となっており、光学ユニット５０の左右方向の移動に支障を来すことがないようになっている。
【００３８】
ウオーム６３はスプライン軸６２の中央部に設けたギア６６に噛合し、ウオーム６３の回転によりギア６６とともにスプライン軸６２が回転するようになっている。パルスモータ６４は図示しないブラケットを介してケース２０内に取り付けられている。
＜制御系＞
図１４はこの自覚式検眼器に使用される制御系の構成を示したものである。
【００３９】
４４０はＣＰＵ等から構成される制御回路であり、検者が操作するキーボード等を有する操作装置（図示せず）に搭載されている。この制御回路４４０は、上述したレンズ取付枠４０２Ｒ，４０２Ｌ内の圧電素子アレイ４１５，４１８，４２８，４３１の圧電素子を図示しない通信手段を介して駆動制御するようになっている。この通信手段としては無線でも有線でもよい。また、演算制御回路４４０には、球面度数の設定や変更または円柱軸の軸角度等を設定操作するための操作手段又はデータ入力手段等の設定手段が接続されている。この設定手段としては、キーボードやマウスあるいはデータ設定のためのボタン（スイッチ）を用いることができる。また、他のレフラクトメータやレンズメータ等からの眼鏡の処方データを取り込む手段も設定手段として用いることもできる。
【００４０】
また、演算制御回路４４０は、レンズメータ５００で測定した測定データに基づいて被検レンズ（図示せず）が累進レンズか単レンズかを判断し、累進レンズと判断した場合、累進レンズであることを示す累進信号を出力ポートＱから出力する。
【００４１】
制御回路４５０は、入力ポートＰの電圧や演算制御回路４４０からの累進信号に基づいてパルスモータ６４を制御して光学系ユニット５０を上下動させたり、ソレノイド７１を制御して検眼器本体１０をロックしたりするようになっている。この制御回路４５０はケース２０内に設けられているが演算制御回路４４０と同様に操作装置に搭載してもよい。
［動　作］
次に、上記から構成される自覚式検眼器の動作について説明する。
【００４２】
先ず、図１に示すようにヘッドバンド２９により検眼器本体１０を被検者に装着させる。そして、検者はツマミ２７を操作して保持ケース３０，４０を左右方向に移動させて光学系ユニット５０の光軸を被検者の瞳孔の位置に合わせる。
【００４３】
そして、従来と同様にして図示しない視標装置により視標を提示するとともに、検眼器ユニット１０の非球面レンズ４１１，４１２を相対的に上下動させたり、シリンダレンズ４２４，４２５を回動させたりして、提示した視標の見え方を被検者に応答させることにより被検眼の光学特性を測定（遠用測定）して処方値を求めていく。
【００４４】
この光学特性の測定が終了したら、雑誌などを読ませて処方したレンズの使用具合、すなわち近くを見る場合の使用具合を確認していく。
【００４５】
被検者は、雑誌を読むとき少し顔を下向きにするが、累進経験者でない場合、その顔の傾きが累進経験者より少し大きくなる。
【００４６】
この顔の傾きにより、検眼器本体１０は保持部材１９の軸Ｊ回りに回動して水平方向に対して傾斜（傾動）する。この傾斜により、保持部材１９の接点８２は摺動抵抗８１上を摺動移動する。この接点８２の摺動移動した位置に対応した電圧が制御回路４５０の入力ポートＰに入力する。すなわち、傾動検出手段８０は検出した検眼器本体１０の傾斜角度に応じた電圧（検出信号）を出力することになる。そして、制御回路４５０は入力ポートＰの電圧を読み取って水平方向に対する検眼器本体１０の傾斜角を求める。
【００４７】
求めた傾斜角（傾動量）αが比較的大きい場合、すなわち閾値（第２閾値）Ｅ２より大きい場合、被検者は累進経験者でないと制御回路４５０は判断してパルスモータ６４を非作動状態のままにしておき、光学系ユニット５０は図４に示す位置のままとなる。
【００４８】
求めた傾斜角βが小さい場合、すなわち、傾斜角βが閾値Ｅ１より大きく閾値Ｅ２（Ｅ１＜Ｅ２）より小さいとき、制御回路４５０は被検者が累進経験者であると判断して、パルスモータ６４を作動させて光学系ユニット５０を図４に示す位置から傾斜角βに対応した距離だけ下方へ移動させる。すなわち、図４に示す鎖線位置へ移動させる。この光学系ユニット５０の下方への移動により、累進経験者の被検者は光学系ユニット５０の測定光学系の光軸部を通して雑誌を見ることができ、自然な状態で測定することができることになる。このため　雑誌などを読ませて累進レンズの近用部の度数を決める場合、その度数を正確に決めることが可能となる。
【００４９】
レンズメータによって測定した測定データが演算制御回路４４０に入力する場合、演算制御回路４４０はその測定データから累進レンズか単レンズかを判断して被検者が累進経験者であるか否かを判断し、被検者が累進経験者と判断したとき、出力ポートＱから累進信号を出力する。
【００５０】
制御回路４５０は、演算制御回路４４０の累進信号を入力すると、ソレノイド７１を作動させてロッド７２を保持部材１９の凹部７４に係合させる。この係合により、検眼器本体１０は保持部材１９に対して傾動しないようにロックされる。このロックにより、被検者の顔は水平に保った状態に保持され、被検者は検眼器本体１０の重さを感じることなく水平方向に提示される視標を安定した状態で、すなわち視線を一定に保ちながら固視することができる。
【００５１】
特に、検眼中、幼児や老人は顔を固定した状態に維持することが難しいが、このロックにより、苦痛を伴うことなく、顔を固定した状態に維持することができ、視線を水平方向に一定に保ちながら提示される視標を固視することが容易なものとなる。
【００５２】
そして、上記と同様にして遠用の測定が行われ、近用の測定の際にはそのロックは解除される。
【００５３】
上記実施形態では、光学系ユニット５０に可変焦点レンズ４１０を使用した場合について説明したが、複数の単レンズを交換可能に設けたものであってもよい。
【００５４】
また、上記実施形態では、傾動検出手段８０が検出する傾斜角度の大きさに応じて光学系ユニット５０を下方へ移動させているが、その検出した傾斜角度が閾値Ｅ１より大きければ、一定の距離だけ下方へ移動させるようにしてもよい。
【００５５】
【効果】
この発明によれば、測定レンズ系の光軸部を通して雑誌などを見ることができる。
【図面の簡単な説明】
【図１】この発明に係る検眼器ユニットが吊るされた状態を示した説明図である。
【図２】図１に示す検眼器ユニットの保持ケースを示した正面図である
【図３】検眼器本体の構成を示した平断面図である。
【図４】光学ユニットが上下動する構成を示した説明図である。
【図５】保持ケースが左右方向に移動する構成を示した説明図である。
【図６】検眼器本体が保持部材に回動可能に取り付けられている構成を示した説明図である。
【図７】傾動検出手段の構成を示した説明図である。
【図８】検眼器本体がロックされた状態を示した説明図である。
【図９】光学ユニットのレンズ系の配置を示した説明図である。
【図１０】図９の可変焦点レンズの部分のＬ−Ｌ線に沿う横断面図である。
【図１１】図９の可変焦点レンズのＭ−Ｍ線に沿う縦断面図である。
【図１２】Ｖｃｃレンズの駆動系の説明図である。
【図１３】図９の可変焦点レンズとＶｃｃレンズの説明のための斜視図である。
【図１４】自覚式検眼器の制御系の構成を示したブロック図である。
【符号の説明】
１０　　　　　　検眼器本体
５０　　　　　　光学系ユニット
６０　　　　　　上下動機構
【図１】
2004073626.tif 000003
【図２】
2004073626.tif 000004
【図３】
2004073626.tif 000005
【図４】
2004073626.tif 000006
【図５】
2004073626.tif 000007
【図６】
2004073626.tif 000008
【図７】
2004073626.tif 000009
【図８】
2004073626.tif 000010
【図９】
2004073626.tif 000011
【図１０】
2004073626.tif 000012
【図１１】
2004073626.tif 000013
【図１２】
2004073626.tif 000014
【図１３】
2004073626.tif 000015
【図１４】
2004073626.tif 000016